(57)【要約】【課題】使用時の表情筋鍛錬機能を失うことなく、不使用時にコンパクト化することができる表情筋鍛錬具を提供する。【解決手段】表情筋鍛錬具１０は、所定長さの棒状体１１と、棒状体１１の長手方向の一方に位置する先端部１１ａに着脱可能に係止された弾力的可撓性を有するマウスピース１２と、を備えている。棒状体１１の先端部１１ａには、棒状体１１の長手方向に凹んだ穴部１３が設けられ、連結部材１５の突起部１６が穴部１３に着脱可能に嵌入される。マウスピース１２は、平面視形状が瓢箪形状（中央付近が括れた長円形状）をなす合成樹脂板材で形成され、その先端部１２ａに、厚み方向に突出した突状部が設けられている。マウスピース１２の基端部１２ｂは、断面がコ字状の挟持部材１４によって着脱可能に挟持されている。マウスピース１２は、弾力的可撓性を有する合成樹脂材料で形成されている。【選択図】図１
2020028429.tif 000002
【特許請求の範囲】
【請求項１】
所定長さの棒状体と、前記棒状体の長手方向の一方の端部に着脱可能に係止された弾力的可撓性を有するマウスピースと、を備えた表情筋鍛錬具。
【請求項２】
前記棒状体が、その長手方向に伸縮可能である請求項１記載の表情筋鍛錬具。
【請求項３】
所定長さの棒状体と、前記棒状体の長手方向の一方の端部に設けられた弾力的可撓性を有するマウスピースと、前記棒状体の他方の端部寄りの部分に磁力により着脱可能に装着された重りと、を備えた表情筋鍛錬具。
【発明の詳細な説明】
【技術分野】
【０００１】
本発明は、人間の顔面の表情筋、特に、口顎の周りの筋肉を鍛錬するために使用する表情筋鍛錬具に関する。
【背景技術】
【０００２】
人間の顔面の表情筋を鍛錬する器具については、従来、様々な形状、構造を有するものが提案されているが、本発明に関連するものとして、例えば、特許文献１記載の「顔面筋鍛錬具」などがある。
【０００３】
この「顔面筋鍛錬具」は、長尺状に形成された弾性変形可能な撓み部と、その撓み部の中央に設けられ、口唇によって銜えられる銜持部と、を備え、銜持部を撓み部の縁部の外側に配置した構造を有している。
【先行技術文献】
【特許文献】
【０００４】
【特許文献１】特許第５６３２１１７号公報
【発明の概要】
【発明が解決しようとする課題】
【０００５】
特許文献１に記載された「顔面筋鍛錬具」においては、弾性変形可能な撓み部が長尺状に形成されているため、この「顔面筋鍛錬具」を保管したり、持ち運んだりするとき、嵩張るという問題がある。
【０００６】
また、この「顔面筋鍛錬具」においては、ウェイト（重り）を交換することによりウェイト部の重さを変更することができるが、ウェイト（重り）の交換作業が煩雑である。
【０００７】
そこで、本発明が解決しようとする第１の課題は、使用中は優れた表情筋鍛錬機能を発揮し、不使用時はコンパクト化することができる表情筋鍛錬具を提供することにあり、第２の課題は、重りの交換作業が容易な表情筋鍛錬具を提供することにある。
【課題を解決するための手段】
【０００８】
本発明に係る第１の表情筋鍛錬具は、所定長さの棒状体と、前記棒状体の長手方向の一方の端部に着脱可能に係止された弾力的可撓性を有するマウスピースと、を備えたことを特徴とする。
【０００９】
前記表情筋鍛錬具においては、前記棒状体が、その長手方向に伸縮可能な構造とすることができる。
【００１０】
次に、本発明に係る第２の表情筋鍛錬具は、所定長さの棒状体と、前記棒状体の長手方向の一方の端部に設けられた弾力的可撓性を有するマウスピースと、前記棒状体の他方の端部寄りの部分に磁力により着脱可能に装着された重りと、を備えたことを特徴とする。
【００１１】
また、前記第２の表情筋鍛錬具においては、前記マウスピースが前記棒状体に対して着脱可能な構造としたり、前記棒状体が、その長手方向に伸縮可能な構造としたりすることもできる。
【発明の効果】
【００１２】
本発明により、使用中は優れた表情筋鍛錬機能を発揮し、不使用時はコンパクト化することができる表情筋鍛錬具を提供することができ、また、重りの交換作業が容易な表情筋鍛錬具を提供することができる。
【図面の簡単な説明】
【００１３】
【図１】（ａ）は本発明の実施形態である表情筋鍛錬具を示す平面図であり、（ｂ）は前記表情筋鍛錬具を分解した状態をし示す一部切欠平面図である。
【図２】図１に示す表情筋鍛錬具の側面図である。
【図３】図１に示す表情筋鍛錬具の使い方を示す図である。
【図４】本発明のその他の実施形態である表情筋鍛錬具の分解並びに収納の手順を示す斜視図である。
【図５】図４に示す表情筋鍛錬具の収納の手順を示す斜視図である。
【図６】本発明のその他の実施形態である表情筋鍛錬具の収納の手順を示す斜視図である。
【図７】本発明のその他の実施形態である表情筋鍛錬具を示す平面図である。
【図８】図７に示す表情筋鍛錬具の側面図である。
【発明を実施するための形態】
【００１４】
以下、図１〜図８に基づいて、本発明の実施形態である表情筋鍛錬具１０，３０，５０，７０について説明する。
【００１５】
初めに、図１〜図３に基づいて表情筋鍛錬具１０について説明する。図１，図２に示すように、表情筋鍛錬具１０は、所定長さの棒状体１１と、棒状体１１の長手方向の一方に位置する先端部１１ａに着脱可能に係止された弾力的可撓性を有するマウスピース１２と、を備えている。棒状体１１の先端部１１ａには、棒状体１１の長手方向に凹んだ穴部１３が設けられている。
【００１６】
マウスピース１２は、平面視形状が瓢箪形状（中央付近が括れた長円形状）をなす合成樹脂板材で形成され、その先端部１２ａに、厚み方向に突出した突状部１２ｃが設けられている。図２に示すように、マウスピース１２の基端部１２ｂは、断面がコ字状の挟持部材１４によって着脱可能に挟持されている。マウスピース１２は、弾力的可撓性を有する合成樹脂材料（例えば、シリコンゴムなど）で形成されている。
【００１７】
挟持部材１４において、マウスピース１２と１８０度反対側の部分には、突起部１６を有する連結部材１５が固着されている。連結部材１５の突起部１６は、棒状体１１の先端部１１ａの穴部１３に着脱可能に嵌入することができるため、マウスピース１２は挟持部材１４及び連結部材１５とともに棒状体１１に先端部１１ａに着脱可能である。
【００１８】
表情筋鍛錬具１０の各部の寸法は限定するものではないので、任意に設定することができるが、例えば、本実施形態においては、図２に示すように、棒状体１１の長さ１１Ｌを９０ｍｍ〜１００ｍｍ程度とし、マウスピース１２の長さ１２Ｌを５０ｍｍ〜６０ｍｍ程度としている。
【００１９】
後述するように、マウスピース１２は、表情筋鍛錬具１０の使用者が口に銜える部分であり、その目的に適した寸法及び形状に形成されている。なお、図２に示すマウスピース１２の先端部１２ａの突状部１２ｃは、表情筋鍛錬具１０を使用しているときに、マウスピース１２が口から離脱するのを防止する「抜け止め」として機能する。
【００２０】
表情筋鍛錬具１０の使い方は、特に限定しないので使用者が任意に使用することができるが、例えば、図３に示すような使い方をすることができる。図３に示すように、表情筋鍛錬具１０のマウスピース１２を、突状部１２ｃを上に向けた状態で、上歯１と下歯２との間に軽く挟む。次に、下唇４でマウスピース１２の下面を押し上げると、棒状体１１の基端部１２ｂが上方に持ち上がる。この後、上唇３でマウスピース１２の上面を押し下げると、棒状体１１の基端部１１ｂが下方へ下がる。
【００２１】
このような動作を繰り返すことにより、棒状体１１の基端部１１ｂを上下動させると、使用者が上唇３及び下唇４を動かすたびに、口顎の周りの表情筋が使われるので、表情筋の鍛錬となり、表情筋の衰えに起因する皮膚のたるみや、顔の輪郭の丸み化を解消することができ、優れた表情筋鍛錬機能を発揮する。
【００２２】
また、表情筋鍛錬具１０の使用中に表情筋に加わる負荷の大きさは、棒状体１１の振幅（基端部１１ｂの振れ幅）によって変化するので、棒状体１１の振幅を大きくして表情筋に大きな負荷を加えたり、棒状体１１の振幅を小さくして表情筋に小さな負荷を加えたりすることができる。
【００２３】
図１（ｂ）に示すように、表情筋鍛錬具１０において、マウスピース１２は挟持部材１４及び連結部材１５とともに棒状体１１に先端部１１ａに着脱可能であるため、不使用時は、棒状体１１からマウスピース１２、挟持部材１４及び連結部材１５の部分を分離することにより、全体のサイズをコンパクト化することができる。
【００２４】
また、使用するときは、連結部材１５の突起部１６を棒状体１１の穴部１３に嵌入させれば、図１（ａ）に示すように、マウスピース１２、挟持部材１４及び連結部材１５の部分と、棒状体１１とが一体化した表情筋鍛錬具１０を形成することができるため、優れた表情筋鍛錬機能を発揮する。
【００２５】
次に、図４，図５に基づいて、その他の実施形態である表情筋鍛錬具３０について説明する。図４に示すように、表情筋鍛錬具３０は、所定長さの棒状体３１と、棒状体３１の長手方向の先端部３１ａに連結部材３５を介して取り付けられた挟持部材３４と、断面コ字状をした挟持部材３４に着脱可能に係止された弾力的可撓性を有するマウスピース３２と、を備えている。
【００２６】
表情筋鍛錬具３０の使い方、機能及び作用効果などは、図３に示す表情筋鍛錬具１０と同様であるが、表情筋鍛錬具３０においては、マウスピース３２が挟持部材３４に着脱可能であるため、不使用時は、棒状体３１、挟持部材３４及び連結部材３５の部分からマウスピース３２を分離することにより、全体のサイズをコンパクト化することができる。
【００２７】
図４に示すように、表情筋鍛錬具３０は、縦穴４１を有する円柱状のスタンド４０と、スタンド４０の上面部４０ａ側に着脱可能な円筒状のカバー４２と、を備えることができる。使い終わった表情筋鍛錬具３０を一時保管したい場合などは、マウスピース３２が挟持部材３４に係止されたまま、棒状体３１の基端部３１ｂをスタンド４０の縦穴４１に挿入すれば、表情筋鍛錬具３０はスタンド４０によって起立状態に保持される。
【００２８】
一方、図５に示すように、マウスピース３２を取り外した棒状体３１をスタンド４０に保持し、縦穴４１から突出する棒状体３１にマウスピース３２を立て掛けるようにして上面部４０ａに載置した後、棒状体３１の先端部３１ａ側の連結部材３５及び挟持部材３４とマウスピース３２を覆うように、カバー４２の開口端４２ｂ側をスタンド４０の上面部４０ａ側に装着すると、スタンド４０とカバー４２とが一体化し、表情筋鍛錬具３０の構成部材（棒状体３１、マウスピース３２など）はカバー４２内に収納された状態となる。
【００２９】
前述したように、スタンド４０とカバー４２とが一体化することにより全体形状はコンパクトな短円筒形状となるため、保管スペースは小さく、持ち運びも容易である。また、カバー４２の開口端４２ｂの反対側は隔壁４２ａで閉塞されているため、スタンド４０にカバー４２を装着すると、カバー４２の内面とスタンド４０の上面部４０ａとで囲まれた空間は密閉状態となって、塵埃などの侵入を防止することができ、衛生的に良好に保つことができる。
【００３０】
次に、図６に基づいて、その他の実施形態である表情筋鍛錬具５０について説明する。図６に示すように、表情筋鍛錬具５０は、その長手方向に伸縮可能な棒状体５１と、棒状体５１の長手方向の先端部５１ａに連結部材５５を介して取り付けられた挟持部材５４と、断面コ字状をした挟持部材５４に着脱可能に係止された弾力的可撓性を有するマウスピース５２と、を備えている。
【００３１】
図６に示すように、棒状体５１は、その先端部５１ａ側に位置する先端筒体５１ｓと、先端筒体５１ｓの外径より大きな内径を有する基端筒体５１ｔと、を備えている。先端筒体５１ｓと基端筒体５１ｔとは同軸上に配置され、先端筒体５１ｓは軸心に沿って、基端筒体５１ｔ内に差し込んだり、引き出したりすることが可能である。このため、棒状体５１全体は、その長手方向に伸縮可能である。
【００３２】
表情筋鍛錬具５０の使い方は、図３に示す表情筋鍛錬具１０と同様であり、図６中の矢印Ａの右側領域に示すように棒状体５１を伸ばした状態にした後、マウスピース５２を口に銜え、棒状体５１を上下動させる。これにより、図３に示す表情筋鍛錬具１０と同様の作用効果を得ることができる。なお、表情筋鍛錬具５０の棒状体５１は伸縮可能であるため、棒状体５１の長さを変化させ、その重心位置を変化させることにより、表情筋鍛錬具５０を使用するときに、表情筋に加わる負荷の大きさを変化させることもできる。
【００３３】
不使用時の表情筋鍛錬具５０は、図６中の矢印Ａの左側領域に示すように、マウスピース５２を挟持部材５４から離脱させ、棒状体５１の先端筒体５１ｓを基端筒体５１ｔ内に差し込むことによって棒状体５１を収縮させることにより、全体をコンパクト化することができる。
【００３４】
また、挟持部材５４から離脱させたマウスピース５２、並びに、収縮させた棒状体５１（挟持部材５４及び連結部材５５を含む）を有底円筒状のケース６０内に収納し、開口部６０ａを開閉蓋６１で閉塞すれば、表情筋鍛錬具５０の構成部材をコンパクトに保管することができ、持ち運びも容易となる。
【００３５】
次に、図７，図８に基づいて、その他の実施形態である表情筋鍛錬具７０について説明する。図７，８に示すように、表情筋鍛錬具７０は、所定長さの棒状体７１と、棒状体７１の長手方向の先端部７１ａに設けられた弾力的可撓性を有するマウスピース７２と、棒状体７１の基端部７１ｂ寄りの部分に磁力により着脱可能に装着された重り７４と、を備えている。マウスピース７２の先端部７２ａには、厚み方向に突出した突状部７２ｃが設けられている。
【００３６】
図８に示すように、棒状体７１の基端部７１ｂ寄りの部分には磁石７５が埋め込まれており、重り７４も磁石であるため、重り７４は磁石７５の磁力範囲内に着脱可能である。表情筋鍛錬具７０においては、棒状体７１に埋め込まれた磁石７５に対し、重り７４も磁石であるが、これに限定しないので、何れか一方を磁石とし、他方を磁石に吸着される材料で形成することもできる。
【００３７】
表情筋鍛錬具７０の使い方、機能及び作用効果などは、図３に示す表情筋鍛錬具１０と同様であり、マウスピース７２を口で銜えて棒状体７１の基端部７１ｂを上下動させることにより、表情筋を鍛錬することができる。
【００３８】
また、図８に示すように、表情筋鍛錬具７０は、棒状体７１の基端部７１ｂ寄りの部分に着脱可能な重り７４を備えているため、重り７４を棒状体７１に取り付けたり、外したり、あるいは重り７４の重さや取り付ける個数を変更したりすることにより、表情筋鍛錬具７０を使用するときに、表情筋に加わる負荷の大きさを変化させることができる。このため、表情筋鍛錬具７０の使用中に表情筋に加わる負荷の大きさを、使用者の好みに対応した状態に設定することができる。このように、表情筋鍛錬具７０においては、磁力を利用して棒状体７１に重り７４を装着しているため、重り７４の交換作業も容易である。
【００３９】
図７，図８に示すように、表情筋鍛錬具７０においては、棒状体７１及びマウスピース７２が合成樹脂材料（例えば、シリコンゴムなど）を用いて一体的に形成されているが、これに限定するものではないので、棒状体７１とマウスピース７２とを別体とし、互いに着脱可能な構造とすることもできる。また、棒状体７１が、その長手方向に伸縮可能な構造とすることもできる。
【００４０】
なお、図１〜図８に基づいて説明した表情筋鍛錬具１０，３０，５０，７０は、本発明に係る表情筋鍛錬具を例示するものであり、本発明に係る表情筋鍛錬具は前述した表情筋鍛錬具１０，３０，５０，７０に限定されない。
【産業上の利用可能性】
【００４１】
本発明に係る表情筋鍛錬具は、人間の顔面の表情筋、特に、口顎の周りの筋肉を鍛錬するための補助器具として、広く利用することができる。
【符号の説明】
【００４２】
１  上歯
２  下歯
３  上唇
４  下唇
１０，３０，５０，７０  表情筋鍛錬具
１１，３１，５１，７１  棒状体
１１ａ，１２ａ，３１ａ，５１ａ，７１ａ，７２ａ  先端部
１１ｂ，１２ｂ，３１ｂ，７１ｂ  基端部
１１Ｌ，１２Ｌ  長さ
１２，３２，５２，７２  マウスピース
１２ｃ，７２ｃ  突状部
１３  穴部
１４，３４，５４  挟持部材
１５，３５，５５  連結部材
１６  突起部
４０  スタンド
４０ａ  上面部
４１  縦穴
４２  カバー
４２ａ  隔壁
４２ｂ  開口端
５１ｓ  先端筒体
５１ｔ  基端筒体
６０  ケース
６１  開閉蓋
７４  重り
７５  磁石
Ａ  矢印
【図１】
2020028429.tif 000003
【図２】
2020028429.tif 000004
【図３】
2020028429.tif 000005
【図４】
2020028429.tif 000006
【図５】
2020028429.tif 000007
【図６】
2020028429.tif 000008
【図７】
2020028429.tif 000009
【図８】
2020028429.tif 000010